(57)【要約】      （修正有）【課題】器具本体への電源端子台の取付け性、および電源端子台への電源供給ケーブルの取り付け性、を向上させる。【解決手段】電源端子台１２は、第１端子部と、第２端子部３２とを具備する。第１端子部は、器具本体に取り付けられる電源装置１１の端に設けられた基板端子が差し込まれることで基板端子と電気的に接続される。第２端子部３２は、電源供給ケーブルを、器具本体の取付面に対して斜め方向から挿入可能である。【選択図】図３
2019153512.tif 000002
【特許請求の範囲】
【請求項１】
器具本体に取り付けられる電源装置の端に設けられた基板端子が差し込まれることで前記基板端子と電気的に接続される第１端子部と；
電源供給ケーブルを、前記器具本体の取付面に対して斜め方向から挿入可能な第２端子部と
を具備することを特徴とする電源端子台。
【請求項２】
前記第２端子部は、
前記電源装置とは反対側から前記電源供給ケーブルを挿入可能に形成される
ことを特徴とする請求項１に記載の電源端子台。
【請求項３】
前記第１端子部、および前記第２端子部を収容する筐体
を具備し、
前記筐体は、
前記第２端子部に前記電源供給ケーブルを挿入する孔を傾斜面に有する
ことを特徴とする請求項１または２に記載の電源端子台。
【発明の詳細な説明】
【技術分野】
【０００１】
本発明の実施形態は、電源端子台に関する。
【背景技術】
【０００２】
従来、蛍光灯器具では、複数の起動方式が存在しており、安定器として、例えば、Ｃ＆Ｃ、ラピッドスタータ、インバータの種類が存在する。これらの安定器を有する電源装置と、電源端子台とを配線接続することが知られている。また、ＬＥＤを用いたベースライトにおいても、電源装置と電源端子台とを配線接続することが知られている。
【先行技術文献】
【特許文献】
【０００３】
【特許文献１】特開２０１７−１３４９０６号公報
【発明の概要】
【発明が解決しようとする課題】
【０００４】
本発明が解決しようとする課題は、取り付け性を向上させる電源端子台を提供することである。
【課題を解決するための手段】
【０００５】
実施形態に係る電源端子台は、第１端子部と、第２端子部とを具備する。第１端子部は、器具本体に取り付けられる電源装置の端に設けられた基板端子が差し込まれることで基板端子と電気的に接続される。第２端子部は、電源供給ケーブルを、器具本体の取付面に対して斜め方向から挿入可能である。
【発明の効果】
【０００６】
本発明によれば、取り付け性の向上が期待できる。
【図面の簡単な説明】
【０００７】
【図１】図１は、実施形態に係る照明装置の構成を示す斜視図である。
【図２】図２は、実施形態に係る照明装置の一部を分解した分解図である。
【図３】図３は、電源装置の一部を示す斜視図である。
【図４】図４は、電源端子台を外した状態の電源装置の一部を示す斜視図である。
【図５】図５は、電源端子台を基板側から見た概略構成図である。
【図６】図６は、電源装置の爪部付近における電源端子台の一部を示す概略構成図である。
【図７】図７は、図６のVII−VII断面図である。
【図８】図８は、光源モジュールの概略図である。
【図９】図９は、図８のIX−IX断面におけるコネクターの概略図である。
【発明を実施するための形態】
【０００８】
以下で説明する実施形態に係る電源端子台１２は、第１端子部３１と、第２端子部３２とを具備する。第１端子部３１は、器具本体２に取り付けられる電源装置１１の端に設けられた基板端子２０が差し込まれることで基板端子２０と電気的に接続される。第２端子部３２は、電源供給ケーブルを、器具本体２の凹部１５の底部１５ａ（取付面に相当）に対して斜め方向から挿入可能である。
【０００９】
また、以下で説明する実施形態に係る第２端子部３２は、電源装置１１とは反対側から電源供給ケーブルを挿入可能に形成される。
【００１０】
また、以下で説明する実施形態に係る電源端子台１２は、筐体３０を具備する。筐体３０は、第１端子部３１、および第２端子部３２を収容する。また、筐体３０は、第２端子部３２に電源供給ケーブルを挿入する第２孔３０ｂ（孔に相当）を傾斜面３０ｃに有する。
【００１１】
（実施形態）
図１〜図９を用いて、実施形態に係る照明装置１について説明する。
【００１２】
［実施形態に係る照明装置１の構成］
図１は、実施形態に係る照明装置１の構成を示す斜視図である。図２は、実施形態に係る照明装置１の一部を分解した分解図である。
【００１３】
照明装置１は、器具本体２と、光源モジュール３とを備える。照明装置１は、例えば、光源モジュール３を下方に向けた状態で、天井面に取り付けられる。なお、照明装置１は、天井面に限られることはなく、例えば、壁面などの任意の取り付け対象に取り付けられてもよい。また、複数の照明装置１が連結されてもよい。
【００１４】
器具本体２は、筐体１０と、電源装置１１と、電源端子台１２とを備える。筐体１０は、ネジ（不図示）などによって天井に取り付けられる。筐体１０は、一方向に延びて形成される。ここでは、筐体１０が延びる方向を「長手方向」とし、長手方向に対して直交する他方向を「短手方向」とする。なお、短手方向は、筐体１０（照明装置１）の幅方向である。
【００１５】
筐体１０は、長手方向に沿って凹部１５が形成される。凹部１５には、電源装置１１や、電源端子台１２が収容される。また、凹部１５には、光源４０（図８参照）の明るさなどを調整する調光用の端子台（不図示）が収容される。
【００１６】
凹部１５の底部１５ａには、電源装置１１、電源端子台１２、および取付金具１３が取り付けられる。すなわち、底部１５ａは、電源装置１１、電源端子台１２、および取付金具１３が取り付けられる取付面を構成する。底部１５ａは、天井面と略平行に形成される。また、底部１５ａには電源供給ケーブル（不図示）などが通される孔１５ｂが形成される。
【００１７】
取付金具１３は、例えば、ネジ（不図示）などによって筐体１０に取り付けられる。取付金具１３は、光源モジュール３の取付部材（不図示）と係合し、光源モジュール３が器具本体２から外れることを抑制する。なお、取付金具１３、および取付部材は、光源モジュール３を器具本体２に着脱可能となるように形成される。
【００１８】
［実施形態に係る電源装置１１の構成］
次に、電源装置１１について図３および図４を参照し説明する。図３は、電源装置１１の一部を示す斜視図である。図４は、電源端子台１２を外した状態の電源装置１１の一部を示す斜視図である。なお、図３および図４は、光源モジュール３側から見た斜視図である。
【００１９】
電源装置１１は、外部から供給される電力を光源モジュール３の光源４０（図８参照）に対応した電圧または電流に変換して、光源モジュール３の光源に電力を供給する。電源装置１１は、本体部１６と、保持部１７とを備える。
【００２０】
本体部１６は、外部から供給される電力を光源に対応した電圧または電流に変換する回路が形成された基板１８と、基板１８を覆うように形成された筐体１９とを備える。
【００２１】
基板１８は、保持部１７に取り付けられる。基板１８には、長手方向における一方側の端に基板端子２０が設けられる。基板端子２０は、基板１８から光源モジュール３（図２参照）に向けて立設して形成される。具体的には、基板端子２０は、基板１８に対して垂直な方向に立設して形成される。基板端子２０は、短手方向に沿って複数配置される。なお、ここでは、３つの基板端子２０を有する３極の電源装置１１を一例として説明するが、２つの基板端子２０を有する２極の電源装置１１であってもよい。
【００２２】
保持部１７は、板状の金属部材に曲げ加工などを行うことで形成される。保持部１７は、短手方向に沿った断面がＵ字状となるように形成される。保持部１７は、凹部１５の底部１５ａと向かい合う取付部１７ａと、短手方向における取付部１７ａの両端から光源モジュール３に向けて延び、凹部１５の壁部１５ｃと向かい合う壁部１７ｂとを備える。
【００２３】
取付部１７ａには、基板１８が取り付けられる。取付部１７ａは、長手方向における一方側の端が基板端子２０よりも突出しており、基板端子２０よりも突出する箇所にネジ孔１７ｃが形成される。取付部１７ａは、ネジ孔１７ｃにネジ（不図示）が挿入され、筐体１０に取り付けられる。なお、取付部１７ａは、複数箇所でネジによって筐体１０に取り付けられる。
【００２４】
壁部１７ｂは、本体部１６を挟んで一対形成される。壁部１７ｂは、長手方向の端に爪部１７ｄを備える。爪部１７ｄは、電源端子台１２側の長手方向の端に形成される。爪部１７ｄは、壁部１７ｂの先端を内側に曲げることで形成される。爪部１７ｄと取付部１７ａとの間には、所定の隙間が形成される。爪部１７ｄは、各壁部１７ｂに形成され、一対形成される。一対の爪部１７ｄは、爪部１７ｄの先端が互いに向かい合うように形成される。爪部１７ｄは、後述する電源端子台１２の係合面３０ｄに係合する。
【００２５】
［実施形態に係る電源端子台１２の構成］
次に、電源端子台１２について図３〜図７を参照し説明する。図５は、電源端子台１２を基板１８側から見た概略構成図である。図６は、電源装置１１の爪部１７ｄ付近における電源端子台１２の一部を示す概略構成図である。図７は、図６のVII−VII断面図である。
【００２６】
電源端子台１２は、長手方向における基板１８の端に設けられる。電源端子台１２は、基板端子２０の立設方向に基板端子２０に差し込まれることで、基板端子２０と電気的に接続される。電源端子台１２は、筐体３０と、基板端子２０に電気的に接続される第１端子部３１と、電源供給ケーブル（不図示）に電気的に接続される第２端子部３２とを備える。
【００２７】
筐体３０は、第１端子部３１、および第２端子部３２を収容する。筐体３０には、基板１８と向かい合う面に基板端子２０を挿入可能な第１孔３０ａが形成される。第１孔３０ａは、第１端子部３１の数に合わせて短手方向に複数形成される。
【００２８】
また、筐体３０には、光源モジュール３と向かい合う傾斜面３０ｃに電源供給ケーブルを挿入可能な第２孔３０ｂが形成される。第２孔３０ｂは、第２端子部３２の数に合わせて短手方向に複数形成される。傾斜面３０ｃは、光源モジュール３側となるにつれて、電源装置１１の筐体１９側へ傾斜するように形成される。
【００２９】
また、筐体３０には、光源モジュール３と向かい合う面の一部に係合面３０ｄが形成される。係合面３０ｄは、短手方向の両端、すなわち、電源装置１１の幅方向における両端に形成される。
【００３０】
係合面３０ｄには、保持部１７の爪部１７ｄが係合する。例えば、保持部１７の壁部１７ｂをカシメ曲げすることで爪部１７ｄを形成し、爪部１７ｄを係合面３０ｄに係合させて電源端子台１２の短手方向の両側を爪部１７ｄによって固定する。これにより、筐体３０、すなわち電源端子台１２は、光源モジュール３側への移動が規制される。
【００３１】
なお、電源端子台１２は、短手方向の両端において、保持部１７の壁部１７ｂによって短手方向への移動が規制される。
【００３２】
また、筐体３０は、電源装置１１とは反対側に突出し、ネジ孔３０ｅを有するネジ取付部３０ｆを備える。電源端子台１２は、ネジ孔３０ｅにネジ（不図示）が挿入され、筐体１０に取り付けられる。すなわち、電源端子台１２は、取付部１７ａとともに、ネジによって筐体１０に取り付けられる。
【００３３】
第１端子部３１は、短手方向に沿って複数設けられる。第１端子部３１は、第１孔３０ａに基板端子２０が挿入されることで、基板端子２０と電気的に接続される。すなわち、電源端子台１２は、接続ケーブルなどを介さずに、基板端子２０に直接電気的に接続される。例えば、第１端子部３１は、基板端子２０を板バネにより挟み込むことで、基板端子２０と電気的に接続される。
【００３４】
第２端子部３２は、短手方向に沿って複数設けられる。第２端子部３２は、第１端子部３１と電気的に接続されており、第２孔３０ｂに電源供給ケーブルが挿入されることで、電源供給ケーブルと電気的に接続される。なお、第２端子部３２は、アース用の端子部を含む。
【００３５】
第２端子部３２は、基板１８、すなわち凹部１５の底部１５ａに対して斜め方向から電源供給ケーブルを挿入可能となるように形成される。具体的には、第２端子部３２は、電源装置１１とは反対側から斜め方向に電源供給ケーブルを挿入可能となるように形成される。
【００３６】
［実施形態の光源モジュール３の構成］
次に、光源モジュール３について図８および図９を参照し説明する。図８は、光源モジュール３の概略図である。図９は、図８のIX−IX断面におけるコネクター４１の概略図である。
【００３７】
光源モジュール３は、光源４０と、コネクター４１とを備える。
【００３８】
光源４０は、金属製の板４２に複数設けられる。例えば、光源４０は、長手方向に沿って複数設けられる。光源４０は、例えば、発光ダイオード（ＬＥＤ）である。なお、光源４０は、有機発光ダイオード（ＯＬＥＤ）、無機ＥＬ発光素子、有機ＥＬ発光素子、またはその他の電界発光型の発光素子などであってもよい。また、光源４０は、電球などであってもよい。
【００３９】
コネクター４１は、長手方向における板４２の中央付近に設けられる。コネクター４１は、絶縁被膜４１ｂから露出させた電線導体４１ａを、板４２に設けた孔４２ａから突出させて構成される。コネクター４１は、電源装置１１（図２参照）と光源４０とを電気的に接続して光源４０に電力を供給する電力供給用コネクターや、光源４０の調光を制御する信号用コネクターである。
【００４０】
これにより、光源４０に電力を供給するケーブルなどが長くなることを抑制し、ケーブルを支持する支持部材を設けずに、例えば、電源装置１１と光源４０とを電気的に接続することができる。そのため、例えば、ケーブルが他の部材と接触することを抑制し、ケーブルが擦れることを抑制することができる。また、照明装置１を、例えば、天井面に取り付ける際の取り付け性を向上させることができる。
【００４１】
実施形態に係る照明装置１は、器具本体２側に設けられ、基板１８の端から立設する基板端子２０を有する電源装置１１と、基板端子２０の立設方向から基板端子２０へ差し込まれることで基板端子２０と電気的に接続される電源端子台１２とを備える。これにより、ケーブルなどを用いずに、電源端子台１２を電源装置１１に容易に取り付けることができ、取り付け性を向上させることができる。また、電源端子台１２と電源装置１１とを電気的に接続するケーブルや、ケーブルを保持する保持部材などを用いずに、電源端子台１２と電源装置１１とを電気的に接続することができ、コストを削減することができる。
【００４２】
実施形態に係る電源装置１１は、基板１８とは反対側、すなわち光源モジュール３側に形成された電源端子台１２の係合面３０ｄに係合する爪部１７ｄを備える。これにより、電源端子台１２が光源モジュール３側に移動することを規制することができる。そのため、電源供給ケーブルの引張荷重によって電源端子台１２が基板端子２０から抜けることを抑制することができる。
【００４３】
実施形態に係る爪部１７ｄは、電源装置１１の保持部１７の一部を曲げ加工することで形成される。これにより、爪部１７ｄを容易に形成することができる。
【００４４】
実施形態に係る電源端子台１２には、係合面３０ｄが短手方向の両端に形成される。これにより、電源端子台１２は、短手方向の両端で爪部１７ｄによって支持される。そのため、光源モジュール３側への移動をより規制することができ、電源端子台１２が基板端子２０から抜けることを抑制することができる。
【００４５】
実施形態に係る電源端子台１２は、電源供給ケーブルを器具本体２の凹部１５の底部１５ａに対して斜め方向から挿入可能な第２端子部３２を備える。これにより、電源供給ケーブルを電源端子台１２に容易に取り付けることができ、取り付け性を向上させることができる。
【００４６】
実施形態に係る第２端子部３２は、電源装置１１とは反対側から電源供給ケーブルを挿入可能となるように形成される。これにより、電源供給ケーブルを電源端子台１２に容易に取り付けることができ、取り付け性を向上させることができる。
【００４７】
実施形態に係る筐体３０は、第２端子部３２に電源供給ケーブルを挿入する第２孔３０ｂを傾斜面３０ｃに有する。これにより、電源供給ケーブルを電源端子台１２に容易に取り付けることができ、取り付け性を向上させることができる。
【００４８】
（変形例）
変形例に係る照明装置１は、器具本体２に爪部１７ｄを形成してもよい。例えば、変形例に係る照明装置１は、器具本体２の凹部１５の壁部１５ｃに爪部１７ｄを形成してもよい。なお、一対の爪部１７ｄは、一方の爪部１７ｄが保持部１７に形成され、もう一方の爪部１７ｄが器具本体２の凹部１５の壁部１５ｃに形成されてもよい。すなわち、爪部１７ｄは、電源装置１１、器具本体２の少なくとも一方に形成されてもよい。
【００４９】
また、変形例に係る照明装置１は、切り起こし加工によって爪部１７ｄを、形成してもよい。すなわち、爪部１７ｄは、電源装置１１、器具本体２の一部を曲げ加工や、切り起こし加工することで形成されてもよい。
【００５０】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５１】
１      照明装置
２      器具本体
３      光源モジュール
１１    電源装置
１２    電源端子台
１５    凹部
１５ａ  底部
１７ｄ  爪部
１８    基板
２０    基板端子
３０    筐体
３０ｂ  孔
３０ｃ  傾斜面
３０ｄ  係合面
３１    第１端子部
３２    第２端子部
【図１】
2019153512.tif 000003
【図２】
2019153512.tif 000004
【図３】
2019153512.tif 000005
【図４】
2019153512.tif 000006
【図５】
2019153512.tif 000007
【図６】
2019153512.tif 000008
【図７】
2019153512.tif 000009
【図８】
2019153512.tif 000010
【図９】
2019153512.tif 000011